【手続補正書】
【提出日】平成24年11月12日(2012.11.12)
【手続補正１】
【補正対象書類名】特許請求の範囲
【補正対象項目名】全文
【補正方法】変更
【補正の内容】
【特許請求の範囲】
【請求項１】
下記の化学式１、下記の化学式２および下記の化学式３で表される繰り返し単位を有する、導電性高分子：
【化１】
2012514064.tif 000001
【化２】
2012514064.tif 000002
【化３】
2012514064.tif 000003
（前記化学式１〜３中、
Ｒ１、Ｒ２、Ｒ３、Ｒ４、Ｒ５およびＲ６は、それぞれ独立して、水素；置換または非置換のアルキル；置換または非置換のヘテロアルキル；置換または非置換のアルコキシ；置換または非置換のヘテロアルコキシ；置換または非置換のアリール；置換または非置換のアリールアルキル；置換または非置換のアリールオキシ；置換または非置換のヘテロアリール；置換または非置換のヘテロアリールアルキル；置換または非置換のヘテロアリールオキシ；置換または非置換のシクロアルキル；置換または非置換のヘテロシクロアルキル；置換または非置換のアルキルエステル；置換または非置換のヘテロアルキルエステル；置換または非置換のアリールエステル；置換または非置換のヘテロアリールエステルおよびハロゲン（Ｆ、Ｂｒ、Ｃｌ、またはＩ）からなる群より選択され、
Ａは、単結合；置換または非置換のアルキレン；置換または非置換のヘテロアルキレン；置換または非置換のアルコキシレン；置換または非置換のヘテロアルコキシレン；置換または非置換のアリーレン；置換または非置換のアリールアルキレン；置換または非置換のアリールオキシレン；置換または非置換のヘテロアリーレン；置換または非置換のヘテロアリールアルキレン；置換または非置換のヘテロアリールオキシレン；置換または非置換のシクロアルキレン；置換または非置換のヘテロシクロアルキレン；置換または非置換のアルキレンエステル；置換または非置換のヘテロアルキレンエステル；置換または非置換のアリーレンエステルおよび置換または非置換のヘテロアリーレンエステルからなる群より選択され、
Ｂは、陽イオンと陰イオンのイオン対であり、陽イオンは、Ｈ＋、Ｎａ＋、Ｋ＋、Ｌｉ＋、Ｍｇ２＋、Ｚｎ２＋およびＡｌ３＋からなる群より選択される金属イオン、ＮＲ３＋（Ｒは、Ｈまたは置換または非置換のアルキル）およびＣＨ３（−ＣＨ２−）ｐＯ＋（ｐは、１〜５０）の有機イオンからなる群より選択される陽イオンであり、陰イオンは、ＰＯ３２−、ＳＯ３−、ＣＯＯ−、Ｉ−およびＣＨ３ＣＯＯ−からなる群より選択され、
Ｃは、単結合；−Ｏ−；−Ｓ−；−ＮＨ−；置換または非置換のアルキレン；置換または非置換のヘテロアルキレン；置換または非置換のアリーレン；置換または非置換のオキシアルキレン；置換または非置換のヘテロオキシアルキレン；置換または非置換のアリールアルキレン；置換または非置換のアリールオキシレン；置換または非置換のアリーレンアミン；置換または非置換のピローレン；置換または非置換のチオフェニレン；置換または非置換のヘテロアリーレン；置換または非置換のヘテロアリールアルキレン；置換または非置換のヘテロアリールオキシレン；置換または非置換のシクロアルキレン；置換または非置換のヘテロシクロアルキレン；置換または非置換のアルキレンエステル；置換または非置換のヘテロアルキレンエステル；置換または非置換のアリーレンエステルおよび置換または非置換のヘテロアリーレンエステルからなる群より選択され、
Ｄは、置換または非置換のポリフェニレン、置換または非置換のポリフェニレンビニレン、下記の化学式４で表されるポリアニリンまたはその誘導体、下記の化学式５で表されるポリピロールまたはその誘導体、置換または非置換のポリチオフェンまたはその誘導体および下記の化学式６で表される環状単量体の高分子からなる群より選択され、
Ｅは、窒素、リン、硫黄、ケイ素または酸素のヘテロ原子で置換または非置換され、ハロゲン置換された炭素化合物の基である。）
【化４】
2012514064.tif 000004
（前記化学式４中、
Ｒａ、Ｒｂ、ＲｃおよびＲｄは、それぞれ独立して、水素；置換または非置換のＣ１〜Ｃ３０のアルキル；置換または非置換のＣ１〜Ｃ３０のヘテロアルキル；置換または非置換のＣ１〜Ｃ３０のアルコキシ；置換または非置換のＣ１〜Ｃ３０のヘテロアルコキシ；置換または非置換のＣ６〜Ｃ３０のアリール；置換または非置換のＣ６〜Ｃ３０のアリールアルキル；置換または非置換のＣ６〜Ｃ３０のアリールオキシ；置換または非置換のＣ６〜Ｃ３０のアリールアミン；置換または非置換のＣ６〜Ｃ３０のピロール；置換または非置換のＣ６〜Ｃ３０のチオフェン；置換または非置換のＣ２〜Ｃ３０のヘテロアリール；置換または非置換のＣ２〜Ｃ３０のヘテロアリールアルキル；置換または非置換のＣ２〜Ｃ３０のヘテロアリールオキシ；置換または非置換のＣ５〜Ｃ２０のシクロアルキル；置換または非置換のＣ２〜Ｃ３０のヘテロシクロアルキル；置換または非置換のＣ２〜Ｃ３０のアルキルエステル；置換または非置換のＣ１〜Ｃ３０のヘテロアルキルエステル；置換または非置換のＣ６〜Ｃ３０のアリールエステルおよび置換または非置換のＣ２〜Ｃ３０のヘテロアリールエステルからなる群より選択される。）
【化５】
2012514064.tif 000005
（前記化学式５中、
Ｘは、−ＮＨ−または−ＮＲ−；−ＰＨ−または−ＰＲ−；−Ｏ−；および−Ｓ−からなる群より選択され（ここで、Ｒは、Ｃ１〜Ｃ２０のアルキルまたはＣ６〜Ｃ２０のアリールであり）、
ＲｅおよびＲｆは、それぞれ独立して、−ＮＨ２または−ＮＲＲ’；−ＰＨ２または−ＰＲＲ’；−ＯＨまたは−ＯＲ；および−ＳＨまたは−ＳＲ（ここで、ＲおよびＲ’は、それぞれ独立して、水素原子またはＣ１〜Ｃ２０のアルキルまたはＣ６〜Ｃ２０のアリールである。）；Ｃ１〜Ｃ３０のアルキル；Ｃ６〜Ｃ３０のアリール；Ｃ１〜Ｃ３０のアルコキシ；Ｃ１〜Ｃ３０のヘテロアルキル；Ｃ１〜Ｃ３０のヘテロアルコキシ；Ｃ６〜Ｃ３０のアリールアルキル；Ｃ６〜Ｃ３０のアリールオキシ；Ｃ６〜Ｃ３０のアリールアミン；Ｃ６〜Ｃ３０のピロール；Ｃ６〜Ｃ３０のチオフェン；Ｃ２〜Ｃ３０のヘテロアリール；Ｃ２〜Ｃ３０のヘテロアリールアルキル；Ｃ２〜Ｃ３０のヘテロアリールオキシ；Ｃ５〜Ｃ２０のシクロアルキル；Ｃ２〜Ｃ３０のヘテロシクロアルキル；Ｃ２〜Ｃ３０のアルキルエステル；Ｃ１〜Ｃ３０のヘテロアルキルエステル；Ｃ６〜Ｃ３０のアリールエステル；Ｃ２〜Ｃ３０のヘテロアリールエステルおよびこれらの組み合わせからなる群より選択される。）
【化６】
2012514064.tif 000006
（前記化学式６中、
ＸおよびＹは、それぞれ独立して、−ＮＨ−または−ＮＲ−；−ＰＨ−または−ＰＲ−；−Ｏ−；および−Ｓ−からなる群より選択され、ここで、Ｒは、Ｃ１〜Ｃ２０のアルキルまたはＣ６〜Ｃ２０のアリールであり、
Ｚは、−（ＣＲ１Ｒ２）ｘ−ＣＲ３Ｒ４−（ＣＲ５Ｒ６）ｙであり（ここで、Ｒ１〜Ｒ６は、それぞれ独立して、−Ｈ、Ｃ１〜Ｃ２０のアルキルラジカル、Ｃ６〜Ｃ１４のアリールラジカルまたは−ＣＨ２−ＯＲｉであり、ここで、Ｒｉは、−Ｈ、Ｃ１〜Ｃ６のアルキル酸基）、Ｃ２〜Ｃ６のアルキルエステル基、Ｃ１〜Ｃ６のヘテロアルキル酸基またはＣ１〜Ｃ６のアルキルスルホン酸基である）、
ｘおよびｙは、それぞれ独立して、０〜５の整数である。）
【請求項２】
前記Ｒ１、Ｒ２、Ｒ３、Ｒ４、Ｒ５およびＲ６が、それぞれ独立して、置換または非置換のＣ１〜Ｃ３０のアルキル；置換または非置換のＣ１〜Ｃ３０のヘテロアルキル；置換または非置換のＣ１〜Ｃ３０のアルコキシ；置換または非置換のＣ１〜Ｃ３０のヘテロアルコキシ；置換または非置換のＣ６〜Ｃ３０のアリール；置換または非置換のＣ６〜Ｃ３０のアリールアルキル；置換または非置換のＣ６〜Ｃ３０のアリールオキシ；置換または非置換のＣ２〜Ｃ３０のヘテロアリール；置換または非置換のＣ２〜Ｃ３０のヘテロアリールアルキル；置換または非置換のＣ２〜Ｃ３０のヘテロアリールオキシ；置換または非置換のＣ５〜Ｃ２０のシクロアルキル；置換または非置換のＣ２〜Ｃ３０のヘテロシクロアルキル；置換または非置換のＣ２〜Ｃ３０のアルキルエステル；置換または非置換のＣ１〜Ｃ３０のヘテロアルキルエステル；置換または非置換のＣ６〜Ｃ３０のアリールエステルおよび置換または非置換のＣ２〜Ｃ３０のヘテロアリールエステルからなる群より選択され、
前記Ａは、置換または非置換のＣ１〜Ｃ３０のアルキレン；置換または非置換のＣ１〜Ｃ３０のヘテロアルキレン；置換または非置換のＣ１〜Ｃ３０のアルコキシレン；置換または非置換のＣ１〜Ｃ３０のヘテロアルコキシレン；置換または非置換のＣ６〜Ｃ３０のアリーレン；置換または非置換のＣ６〜Ｃ３０のアリールアルキレン；置換または非置換のＣ６〜Ｃ３０のアリールオキシレン；置換または非置換のＣ２〜Ｃ３０のヘテロアリーレン；置換または非置換のＣ２〜Ｃ３０のヘテロアリールアルキレン；置換または非置換のＣ２〜Ｃ３０のヘテロアリールオキシレン；置換または非置換のＣ５〜Ｃ２０のシクロアルキレン；置換または非置換のＣ２〜Ｃ３０のヘテロシクロアルキレン；置換または非置換のＣ２〜Ｃ３０のアルキレンエステル；置換または非置換のＣ１〜Ｃ３０のヘテロアルキレンエステル；置換または非置換のＣ６〜Ｃ３０のアリーレンエステルおよび置換または非置換のＣ２〜Ｃ３０のヘテロアリーレンエステルからなる群より選択され、
前記Ｅは、窒素、リン、硫黄、ケイ素または酸素のヘテロ原子で置換または非置換され、ハロゲン置換された炭素化合物の基であることを特徴とする、請求項１に記載の導電性高分子。
【請求項３】
下記の化学式１２で表される請求項１または２に記載の導電性高分子および
溶媒
を含む、導電性高分子組成物：
【化７】
2012514064.tif 000007
（前記化学式１２中、
Ｒ１、Ｒ２、Ｒ３、Ｒ４、Ｒ５およびＲ６は、それぞれ独立して、水素；置換または非置換のアルキル；置換または非置換のヘテロアルキル；置換または非置換のアルコキシ；置換または非置換のヘテロアルコキシ；置換または非置換のアリール；置換または非置換のアリールアルキル；置換または非置換のアリールオキシ；置換または非置換のヘテロアリール；置換または非置換のヘテロアリールアルキル；置換または非置換のヘテロアリールオキシ；置換または非置換のシクロアルキル；置換または非置換のヘテロシクロアルキル；置換または非置換のアルキルエステル；置換または非置換のヘテロアルキルエステル；置換または非置換のアリールエステル；置換または非置換のヘテロアリールエステルおよびハロゲン（Ｆ、Ｂｒ、Ｃｌ、またはＩ）からなる群より選択され、
Ａは、単結合；置換または非置換のアルキレン；置換または非置換のヘテロアルキレン；置換または非置換のアルコキシレン；置換または非置換のヘテロアルコキシレン；置換または非置換のアリーレン；置換または非置換のアリールアルキレン；置換または非置換のアリールオキシレン；置換または非置換のヘテロアリーレン；置換または非置換のヘテロアリールアルキレン；置換または非置換のヘテロアリールオキシレン；置換または非置換のシクロアルキレン；置換または非置換のヘテロシクロアルキレン；置換または非置換のアルキレンエステル；置換または非置換のヘテロアルキレンエステル；置換または非置換のアリーレンエステルおよび置換または非置換のヘテロアリーレンエステルからなる群より選択され、
Ｂは、陽イオンと陰イオンのイオン対であり、陽イオンは、Ｈ＋、Ｎａ＋、Ｋ＋、Ｌｉ＋、Ｍｇ２＋、Ｚｎ２＋およびＡｌ３＋からなる群より選択される金属イオン、ＮＲ３＋（Ｒは、Ｈまたは置換または非置換のアルキル）およびＣＨ３（−ＣＨ２−）ｐＯ＋（ｐは、１〜５０）の有機イオンからなる群より選択される陽イオンであり、陰イオンは、ＰＯ３２−、ＳＯ３−、ＣＯＯ−、Ｉ−およびＣＨ３ＣＯＯ−からなる群より選択され、
Ｃは、単結合；−Ｏ−；−Ｓ−；−ＮＨ−；置換または非置換のアルキレン；置換または非置換のテロアルキレン；置換または非置換のアリーレン；置換または非置換のオキシアルキレン；置換または非置換のヘテロオキシアルキレン；置換または非置換のアリールアルキレン；置換または非置換のアリールオキシレン；置換または非置換のアリーレンアミン；置換または非置換のピローレン；置換または非置換のチオフェニレン；置換または非置換のヘテロアリーレン；置換または非置換のヘテロアリールアルキレン；置換または非置換のヘテロアリールオキシレン；置換または非置換のシクロアルキレン；置換または非置換のヘテロシクロアルキレン；置換または非置換のアルキレンエステル；置換または非置換のヘテロアルキレンエステル；置換または非置換のアリーレンエステルおよび置換または非置換のヘテロアリーレンエステルからなる群より選択され、
Ｄは、置換または非置換のポリフェニレン、置換または非置換のポリフェニレンビニレン、下記の化学式４で表されるポリアニリンまたはその誘導体、下記の化学式５で表されるポリピロールまたはその誘導体、置換または非置換のポリチオフェンまたはその誘導体および下記の化学式６で表される環状単量体の高分子からなる群より選択され、
Ｅは、窒素、リン、硫黄、ケイ素または酸素のヘテロ原子で置換または非置換され、ハロゲン置換された炭素化合物であり、
前記ｌは、５≦ｌ≦１，０００，０００であり、ｍおよびｎのｌに対する比率は、０．０００１≦ｍ／ｌ≦０．２であり、０．０００１≦ｎ／ｌ≦１であり、０．０００００００１≦（ｍ＋ｎ）／ｌ≦１．１である。）
【化８】
2012514064.tif 000008
（前記化学式４中、
Ｒａ、Ｒｂ、ＲｃおよびＲｄは、それぞれ独立して、水素；置換または非置換のＣ１〜Ｃ３０のアルキル；置換または非置換のＣ１〜Ｃ３０のヘテロアルキル；置換または非置換のＣ１〜Ｃ３０のアルコキシ；置換または非置換のＣ１〜Ｃ３０のヘテロアルコキシ；置換または非置換のＣ６〜Ｃ３０のアリール；置換または非置換のＣ６〜Ｃ３０のアリールアルキル；置換または非置換のＣ６〜Ｃ３０のアリールオキシ；置換または非置換のＣ６〜Ｃ３０のアリールアミン；置換または非置換のＣ６〜Ｃ３０のピロール；置換または非置換のＣ６〜Ｃ３０のチオフェン；置換または非置換のＣ２〜Ｃ３０のヘテロアリール；置換または非置換のＣ２〜Ｃ３０のヘテロアリールアルキル；置換または非置換のＣ２〜Ｃ３０のヘテロアリールオキシ；置換または非置換のＣ５〜Ｃ２０のシクロアルキル；置換または非置換のＣ２〜Ｃ３０のヘテロシクロアルキル；置換または非置換のＣ２〜Ｃ３０のアルキルエステル；置換または非置換のＣ１〜Ｃ３０のヘテロアルキルエステル；置換または非置換のＣ６〜Ｃ３０のアリールエステルおよび置換または非置換のＣ２〜Ｃ３０のヘテロアリールエステルからなる群より選択される。）
【化９】
2012514064.tif 000009
（前記化学式５中、
Ｘは、−ＮＨ−または−ＮＲ−；−ＰＨ−または−ＰＲ−；−Ｏ−；および−Ｓ−からなる群より選択され（ここで、Ｒは、Ｃ１〜Ｃ２０のアルキルまたはＣ６〜Ｃ２０のアリールであり）、
ＲｅおよびＲｆは、それぞれ独立して、−ＮＨ２または−ＮＲＲ’；−ＰＨ２または−ＰＲＲ’；−ＯＨまたは−ＯＲ；および−ＳＨまたは−ＳＲ（ここで、ＲおよびＲ’は、それぞれ独立して、水素原子またはＣ１〜Ｃ２０のアルキルまたはＣ６〜Ｃ２０のアリールである。）；Ｃ１〜Ｃ３０のアルキル；Ｃ６〜Ｃ３０のアリール；Ｃ１〜Ｃ３０のアルコキシ；Ｃ１〜Ｃ３０のヘテロアルキル；Ｃ１〜Ｃ３０のヘテロアルコキシ；Ｃ６〜Ｃ３０のアリールアルキル；Ｃ６〜Ｃ３０のアリールオキシ；Ｃ６〜Ｃ３０のアリールアミン；Ｃ６〜Ｃ３０のピロール；Ｃ６〜Ｃ３０のチオフェン；Ｃ２〜Ｃ３０のヘテロアリール；Ｃ２〜Ｃ３０のヘテロアリールアルキル；Ｃ２〜Ｃ３０のヘテロアリールオキシ；Ｃ５〜Ｃ２０のシクロアルキル；Ｃ２〜Ｃ３０のヘテロシクロアルキル；Ｃ２〜Ｃ３０のアルキルエステル；Ｃ１〜Ｃ３０のヘテロアルキルエステル；Ｃ６〜Ｃ３０のアリールエステル；Ｃ２〜Ｃ３０のヘテロアリールエステルおよびこれらの組み合わせからなる群より選択される。）
【化１０】
2012514064.tif 000010
（前記化学式６中、
ＸおよびＹは、それぞれ独立して、−ＮＨ−または−ＮＲ−；−ＰＨ−または−ＰＲ−；−Ｏ−；および−Ｓ−からなる群より選択され、ここで、Ｒは、Ｃ１〜Ｃ２０のアルキルまたはＣ６〜Ｃ２０のアリールであり、
Ｚは、−（ＣＲ１Ｒ２）ｘ−ＣＲ３Ｒ４−（ＣＲ５Ｒ６）ｙであり（ここで、Ｒ１〜Ｒ６は、それぞれ独立して、−Ｈ、Ｃ１〜Ｃ２０のアルキルラジカル、Ｃ６〜Ｃ１４のアリールラジカルまたは−ＣＨ２−ＯＲｉであり、ここで、Ｒｉは、−Ｈ、Ｃ１〜Ｃ６のアルキル酸基）、Ｃ２〜Ｃ６のアルキルエステル基、Ｃ１〜Ｃ６のヘテロアルキル酸基またはＣ１〜Ｃ６のアルキルスルホン酸基である）、
ｘおよびｙは、それぞれ独立して、０〜５の整数である。）
【請求項４】
前記導電性高分子が、下記の化学式７〜１１で表される繰り返し単位からなる群より選択される少なくとも一つをさらに含む、請求項３に記載の導電性高分子組成物：
【化１１】
2012514064.tif 000011
（前記化学式７中、
Ｍ＋は、Ｈ＋；アルカリ金属陽イオン；アルカリ土類金属陽イオンおよびアンモニウムイオン（ＮＨ４＋、ＮＨ＋２Ｒ１Ｒ２、またはＮＨ＋Ｒ１Ｒ２Ｒ３）からなる群より選択され、
前記Ｒ１〜Ｒ３は、それぞれ独立して、水素；置換または非置換のアルキル；置換または非置換のヘテロアルキル；置換または非置換のアルコキシ；置換または非置換のヘテロアルコキシ；置換または非置換のアリール；置換または非置換のアリールアルキル；置換または非置換のアリールオキシ；置換または非置換のヘテロアリール；置換または非置換のヘテロアリールアルキル；置換または非置換のヘテロアリールオキシ；置換または非置換のシクロアルキル；置換または非置換のヘテロシクロアルキル；置換または非置換のアルキルエステル；置換または非置換のヘテロアルキルエステル；置換または非置換のアリールエステル；置換または非置換のヘテロアリールエステルおよびハロゲンからなる群より選択され、Ｆで置換されるのが好ましく、
０＜ｍ＜１，０００，０００であり、
ｘおよびｙは、それぞれ独立して、０〜２０の整数である。）
【化１２】
2012514064.tif 000012
【化１３】
2012514064.tif 000013
（前記化学式８および９中、
Ｍ、ｍ、ｘおよびｙの定義は、前記化学式７における定義と同一であり、
０＜ｎ＜１，０００，０００である。）
【化１４】
2012514064.tif 000014
（前記化学式１０中、
Ｍ、ｍおよびｎは、前記化学式８における定義と同一であり、
ｚは、０〜２０の整数である。）
【化１５】
2012514064.tif 000015
（前記化学式１１中、
Ｍ、ｍおよびｎは、前記化学式８における定義と同一であり、
Ｒｇは、水素全体の１％以上、フッ素置換されたものを含む置換または非置換のＣ１〜Ｃ３０のアルキル；置換または非置換のＣ１〜Ｃ３０のヘテロアルキル；置換または非置換のＣ１〜Ｃ３０のアルコキシ；置換または非置換のＣ１〜Ｃ３０のヘテロアルコキシ；置換または非置換のＣ６〜Ｃ３０のアリール；置換または非置換のＣ６〜Ｃ３０のアリールアルキル；置換または非置換のＣ６〜Ｃ３０のアリールオキシ；置換または非置換のＣ２〜Ｃ３０のヘテロアリール；置換または非置換のＣ２〜Ｃ３０のヘテロアリールアルキル；置換または非置換のＣ２〜Ｃ３０のヘテロアリールオキシ；置換または非置換のＣ５〜Ｃ２０のシクロアルキル；置換または非置換のＣ２〜Ｃ３０のヘテロシクロアルキル；置換または非置換のＣ２〜Ｃ３０のアルキルエステル；置換または非置換のＣ１〜Ｃ３０のヘテロアルキルエステル；置換または非置換のＣ６〜Ｃ３０のアリールエステル；置換または非置換のＣ２〜Ｃ３０のヘテロアリールエステルおよびハロゲンからなる群より選択される。）
【請求項５】
前記溶媒が、水、アルコール、ジメチルホルムアミド（ＤＭＦ）、ジメチルスルホキシド、トルエン、キシレン、クロロベンゼンおよびこれらの組み合わせからなる群より選択される溶媒を含む、請求項３または４に記載の導電性高分子組成物。
【請求項６】
架橋剤をさらに含む、請求項３〜５のいずれか一項に記載の導電性高分子組成物。
【請求項７】
前記架橋剤が、ヒドロキシを含む物理的架橋剤、ヒドロキシを含む化学的架橋剤およびこれらの混合物からなる群より選択される、請求項６に記載の導電性高分子組成物。
【請求項８】
前記物理的架橋剤が、グリセロール、ブタノール、ポリビニルアルコール、ポリエチレングリコール、ポリエチレンイミン、ポリビニルピロリドンおよびこれらの混合物からなる群より選択されるものを含む、請求項７に記載の導電性高分子組成物。
【請求項９】
前記物理的架橋剤が、導電性高分子１００重量部に対して０．００１〜５重量部で含まれる、請求項７または８に記載の導電性高分子組成物。
【請求項１０】
前記化学的架橋剤が、テトラエチルオキシシラン、ポリアジリジン、メラミン系高分子、エポキシ系高分子およびこれらの組み合わせからなる群より選択されるものを含む、請求項７〜９のいずれか一項に記載の導電性高分子組成物。
【請求項１１】
前記化学的架橋剤が、導電性高分子１００重量部に対して０．００１〜５０重量部で含まれる、請求項７〜１０のいずれか一項に記載の導電性高分子組成物。
【請求項１２】
有機塩をさらに含むものである、請求項３〜１１のいずれか一項に記載の導電性高分子組成物。
【請求項１３】
前記有機塩が、イミダゾリウム塩、チアゾリウム塩、ピリジニウム塩、ピロリジニウム塩およびピペリジニウム塩からなる群より選択されるものを含む、請求項１２に記載の導電性高分子組成物。
【請求項１４】
前記有機塩が、導電性高分子１００重量部に対して０．１〜１０重量部で含まれる、請求項１２または１３に記載の導電性高分子組成物。
【請求項１５】
請求項３〜１４のいずれか一項に記載の導電性高分子組成物を用いて形成される、導電性高分子有機膜。
【請求項１６】
請求項１５に記載の導電性高分子有機膜を含む、有機光電素子。
【請求項１７】
前記有機光電素子は、有機発光ダイオードである、請求項１６に記載の有機光電素子。
【請求項１８】
導電性高分子有機膜が正孔注入層または電子注入層である、請求項１６または１７に記載の有機光電素子。
【手続補正２】
【補正対象書類名】明細書
【補正対象項目名】００５７
【補正方法】変更
【補正の内容】
【００５７】
（前記化学式１〜３中、
Ｒ１、Ｒ２、Ｒ３、Ｒ４、Ｒ５およびＲ６は、それぞれ独立して、水素；置換または非置換のアルキル；置換または非置換のヘテロアルキル；置換または非置換のアルコキシ；置換または非置換のヘテロアルコキシ；置換または非置換のアリール；置換または非置換のアリールアルキル；置換または非置換のアリールオキシ；置換または非置換のヘテロアリール；置換または非置換のヘテロアリールアルキル；置換または非置換のヘテロアリールオキシ；置換または非置換のシクロアルキル；置換または非置換のヘテロシクロアルキル；置換または非置換のアルキルエステル；置換または非置換のヘテロアルキルエステル；置換または非置換のアリールエステル；置換または非置換のヘテロアリールエステルおよびハロゲン（Ｆ、Ｂｒ、Ｃｌ、またはＩ）からなる群より選択され、
Ａは、単結合；置換または非置換のアルキレン；置換または非置換のヘテロアルキレン；置換または非置換のアルコキシレン；置換または非置換のヘテロアルコキシレン；置換または非置換のアリーレン；置換または非置換のアリールアルキレン；置換または非置換のアリールオキシレン；置換または非置換のヘテロアリーレン；置換または非置換のヘテロアリールアルキレン；置換または非置換のヘテロアリールオキシレン；置換または非置換のシクロアルキレン；置換または非置換のヘテロシクロアルキレン；置換または非置換のアルキレンエステル；置換または非置換のヘテロアルキレンエステル；置換または非置換のアリーレンエステルおよび置換または非置換のヘテロアリーレンエステルからなる群より選択され、
Ｂは、陽イオンと陰イオンのイオン対であり、陽イオンは、Ｈ＋、Ｎａ＋、Ｋ＋、Ｌｉ＋、Ｍｇ２＋、Ｚｎ２＋およびＡｌ３＋からなる群より選択される金属イオン、ＮＲ３＋（Ｒは、Ｈまたは置換または非置換のアルキル）およびＣＨ３（−ＣＨ２−）ｐＯ＋（ｐは、１〜５０）の有機イオンからなる群より選択される陽イオンであり、陰イオンは、ＰＯ３２−、ＳＯ３−、ＣＯＯ−、Ｉ−およびＣＨ３ＣＯＯ−からなる群より選択され、
Ｃは、単結合；−Ｏ−；−Ｓ−；−ＮＨ−；置換または非置換のアルキレン；置換または非置換のヘテロアルキレン；置換または非置換のアリーレン；置換または非置換のオキシアルキレン；置換または非置換のヘテロオキシアルキレン；置換または非置換のアリールアルキレン；置換または非置換のアリールオキシレン；置換または非置換のアリーレンアミン；置換または非置換のピローレン；置換または非置換のチオフェニレン；置換または非置換のヘテロアリーレン；置換または非置換のヘテロアリールアルキレン；置換または非置換のヘテロアリールオキシレン；置換または非置換のシクロアルキレン；置換または非置換のヘテロシクロアルキレン；置換または非置換のアルキレンエステル；置換または非置換のヘテロアルキレンエステル；置換または非置換のアリーレンエステルおよび置換または非置換のヘテロアリーレンエステルからなる群より選択され、
Ｄは、置換または非置換のポリフェニレン、置換または非置換のポリフェニレンビニレン、下記の化学式４で表されるポリアニリンまたはその誘導体、下記の化学式５で表されるポリピロールまたはその誘導体、置換または非置換のポリチオフェンまたはその誘導体および下記の化学式６で表される環状単量体の高分子からなる群より選択され、
Ｅは、窒素、リン、硫黄、ケイ素または酸素などのヘテロ原子で置換または非置換され、ハロゲン置換された炭素化合物の基である。）
【手続補正３】
【補正対象書類名】明細書
【補正対象項目名】００７１
【補正方法】変更
【補正の内容】
【００７１】
（前記化学式１２中、Ｒ１、Ｒ２、Ｒ３、Ｒ４、Ｒ５、Ｒ６、Ａ、Ｂ、Ｃ、ＤおよびＥは、前記化学式１〜３における定義と同一であり、
５≦ｌ≦１，０００，０００、０．０００１≦ｍ／ｌ≦０．２、０．０００１≦ｎ／ｌ≦１、０．０００００００１≦（ｍ＋ｎ）／ｌ≦１．１である。）
【手続補正４】
【補正対象書類名】明細書
【補正対象項目名】００７２
【補正方法】変更
【補正の内容】
【００７２】
前記ｌ、ｍおよびｎは、より好ましくは５≦ｌ≦１，０００、０．０１≦ｍ／ｌ≦０．２、０．０１≦ｎ／ｌ≦１、０．０００１≦（ｍ＋ｎ）／ｌ≦０．８である。